(57)【要約】【課題】表示色の色再現範囲が変更された場合においても、視聴者にとって自然な画質調整を行うことが可能な表示装置を提供する。【解決手段】表示装置（１）は、色度図上における色再現範囲を変更する変更手段（８１）と、色領域を指定して画像の画質調整を行う画質調整手段（８３）と、上記画質調整手段が指定する色領域を、上記変更手段により変更された色再現範囲に対応するように補正する補正手段（９０）とを備えている。【選択図】  図１
2014178488.tif 000002
【特許請求の範囲】
【請求項１】
表示色の色再現範囲を変更する変更手段と、
色領域を指定して画像の画質調整を行う画質調整手段と、
上記画質調整手段が指定する色領域を、上記変更手段により変更された色再現範囲に対応するように補正する補正手段と、
を備えていることを特徴とする表示装置。
【請求項２】
上記変更手段は、色度図上における色再現範囲の各頂点の座標を変更することにより色再現範囲を変更するものであり、
上記補正手段は、色再現範囲における変更前のある頂点から変更後の当該ある頂点への向きに沿って上記色領域を移動させることにより、上記色領域を補正する
ことを特徴とする請求項１に記載の表示装置。
【請求項３】
上記変更手段は、選択可能な画質調整モードのそれぞれに応じて、色再現範囲を変更する、
ことを特徴とする請求項１または２に記載の表示装置。
【請求項４】
ユーザによる画質調整指示を受け付ける指示受付手段をさらに備え、
上記変更手段は、上記指示受付手段が受け付けた上記画質調整指示の示す画質調整値に基づいて、色再現範囲を変更する、
ことを特徴とする請求項１から３の何れか１項に記載の表示装置。
【請求項５】
表示色の色再現範囲を変更する変更工程と、
色領域を指定して画像の画質調整を行う画質調整工程と、
上記画質調整工程にて指定する色領域を、上記変更工程にて変更された色再現範囲に対応するように補正する補正工程と、
を含んでいることを特徴とする表示装置の制御方法。
【発明の詳細な説明】
【技術分野】
【０００１】
本発明は、表示装置（例えば、テレビジョン受像機）およびそのような表示装置の表示方法に関する。更に、本発明は、コンピュータをそのような表示装置として機能させるプログラム、および、そのようなプログラムが記録された記録媒体に関する。
【背景技術】
【０００２】
近年、大画面および高精細な液晶テレビの開発に伴って、そのような液晶テレビに表示する映像に対する様々な画質調整技術が提案されている。例えば、特許文献１には、画像データに含まれる特定色を検出する検出手段と、特定色に対する鮮鋭化などの画像処理を実行する画像処理手段とを備えた画像処理装置が記載されている。
【先行技術文献】
【特許文献】
【０００３】
【特許文献１】特開２０１０−１５２５１８号公報（２０１０年７月８日公開）
【発明の概要】
【発明が解決しようとする課題】
【０００４】
従来の手法においては、色度図上で予め定められている色領域に含まれる色（特定色とも呼ぶ）を抽出し、当該特定色を呈する画像に対する画質調整処理を行うように構成されている。例えば、色度図上の緑色（例えば、ＲＧＢ表色系におけるＧ）領域に含まれる色を特定色として予め指定して画像の鮮鋭化処理を行うことにより、スポーツ映像における芝生の緑色を鮮やかに表示することができる。しかしながら、従来の手法においては、テレビの表示色の色再現範囲が変更された場合に、特定色に対する所望の画質調整処理が行われないという課題があった。
【０００５】
色再現範囲が変更される場合の一例として、ＡＶモード（画質調整モードとも呼ぶ）の変更が挙げられる。ＡＶモードとは、表示する映像に対して、予め設定された画質調整処理（例えば、色の明度、彩度、及び色相の補正、並びに、その他の画質調整）を行うモードであり、例えばダイナミックモード、シネマモードなど、複数のモードが用意されている。ダイナミックモードにおいては、ユーザが記憶している色に近い色再現範囲に変更することにより、実際の放送画像よりも色鮮やかになるような画質調整処理が行われる。一方で、シネマモードにおいては、ＥＢＵ（European Broadcasting Union）により定められたＥＢＵ規格と同等（ＥＢＵ比１００％とも呼ぶ）の色再現範囲に変更することにより、元の映像を忠実に再現するような画質調整処理が行われる。
【０００６】
従来の手法においては、ＡＶモードの変更により表示色の色再現範囲が変更された場合において、予め定められている色領域の色度図上の位置は変化しない。このため、画質調整処理が行われることが好ましい領域に対して画質調整が行われない、または、画質調整処理が行われないことが好ましい領域に対して画質調整が行われてしまうことにより、視聴者にとって不自然な画像が表示されてしまうという問題があった。
【０００７】
本発明は、上記の問題に鑑みてなされたものであり、その目的は、表示色の色再現範囲が変更された場合においても、視聴者にとって自然な画質調整を行うことができる表示装置を提供することにある。
【課題を解決するための手段】
【０００８】
上記の課題を解決するために、本発明の一態様に係る表示装置は、表示色の色再現範囲を変更する変更手段と、色領域を指定して画像の画質調整を行う画質調整手段と、上記画質調整手段が指定する色領域を、上記変更手段により変更された色再現範囲に対応するように補正する補正手段と、を備えていることを特徴としている。
【０００９】
また、上記の課題を解決するために、本発明の一態様に係る表示装置の制御方法は、表示色の色再現範囲を変更する変更工程と、色領域を指定して画像の画質調整を行う画質調整工程と、上記画質調整工程にて指定する色領域を、上記変更工程にて変更された色再現範囲に対応するように補正する補正工程と、を含んでいることを特徴としている。
【発明の効果】
【００１０】
本発明の一態様によれば、表示色の色再現範囲が変更された場合においても、視聴者にとって自然な画質調整を行うことが可能になる。
【図面の簡単な説明】
【００１１】
【図１】本発明の実施形態に係る表示装置における画像処理制御部の構成を示すブロック図である。
【図２】本発明の実施形態に係る表示装置の要部構成を示すブロック図である。
【図３】本発明の実施形態に係る表示装置が行う処理の手順を示すフローチャートである。
【図４】本発明の実施形態に係る表示装置が行う処理の手順のうち、画質調整処理の手順の詳細を示すフローチャートである。
【図５】本発明の実施形態に係る表示装置の画質調整モード毎の画質調整パラメータの一例を示す図である。
【図６】本発明の実施形態に係る表示装置の画質調整モード毎の色再現範囲の一例を示す図である。
【図７】本発明の実施形態に係る表示装置の色領域を補正する処理の一例を示す図である。
【図８】本発明の実施形態に係る表示装置において、ユーザが画質調整を指示する際に表示する画像の一例を示す図である。
【図９】本発明の実施形態に係る表示装置において、変更された色再現範囲に応じて色領域を補正する処理の一例について説明するための模式図である。
【発明を実施するための形態】
【００１２】
本明細書の以降の説明においては、表示装置としてテレビジョン受像機を例にして述べるが、画像信号に基づいて画像を表示することが可能な表示装置であればよい。すなわち、外部機器からの画像信号の入力を受け付けて画像を表示することが可能なディスプレイ装置、携帯型電子端末、デジタルサイネージ等であってもよい。また、本明細書における「映像」には、動画像だけではなく、静止画像も含まれている。また、各実施形態において、「色領域」とは、画質調整の対象となる画素の示す色の集合によって表される色度図上での領域のことを指し、画質調整の種類に応じて、予め定められているものである。
【００１３】
〔実施形態１〕
以下、本発明の実施の形態について、図１〜９を参照して詳細に説明する。
【００１４】
（表示装置１について）
以下では、表示装置１の構成について図２を参照しながら説明する。図２は、本実施形態に係る表示装置１の要部構成を示すブロック図である。
【００１５】
表示装置１は、チューナ部２、外部入力部３、入力切替部４、３ＤＹＣ分離回路５、ＡＤ変換回路６、色空間変換回路７、画像処理制御部８、倍速変換処理部９、液晶タイミングコントロール部１０、マイコン制御部１１、ＬＥＤドライバ回路１２、表示部１３、および指示受付部１４を備えている。表示装置１は、その他、ＣＰＵおよびメモリ（不図示）を備えており、表示装置１の動作は、ＣＰＵおよびメモリに記憶された各種の制御プログラムにより制御される。即ち、図２に示された表示装置１では、ＣＰＵを含むコンピュータ・システムによって制御されており、表示装置１をコンピュータ・システムによって動作させるためのプログラムはメモリ（不図示）に記憶されている。
【００１６】
なお、表示装置１が備える上述の各部のうち、少なくとも画像処理制御部８を液晶パネルモジュールが備える構成とし、当該液晶パネルモジュールを表示装置１が備える構成としてもよい。
【００１７】
チューナ部２は、アナログおよびデジタル放送受信用のアンテナ２０を介して、アナログおよびデジタル放送信号（映像信号とも呼ぶ）を受信する。チューナ部２は、受信した映像信号を入力切替部４に送信する。
【００１８】
外部入力部３には、携帯電話、ＨＤＤ、ＳＤカード等の固体メモリ、ＢＤ（ブルーレイディスク）、ＤＶＤ、ＣＤ等のディスク装置等、種々の外部機器（記録媒体）３０が接続可能とされており、表示装置１は、外部入力部３に接続された外部機器３０を介して映像信号を受信する。外部入力部３は、受信した映像信号を入力切替部４に送信する。
【００１９】
入力切替部４は、チューナ部２および外部入力部３から受信した映像信号のフォーマットに応じて以下の処理を行う。（１）受信した映像信号がアナログＳＤ（Standard Definition）入力に対応した信号である場合、入力切替部４は、映像信号を３ＤＹＣ分離回路５へ送信する。（２）受信した映像信号がアナログＨＤ（High Definition）入力に対応した信号である場合、入力切替部４は、映像信号をＡＤ変換回路６へ送信する。（３）受信した映像信号がアナログＳＤおよびアナログＨＤ入力に対応した信号ではない場合、すなわち、受信した映像信号がデジタル入力である場合、入力切替部４は、映像信号を色空間変換回路７へ送信する。
【００２０】
３ＤＹＣ分離回路５は、入力切替部４から受信したアナログＳＤ入力に対応するコンポジット映像信号を輝度信号（Ｙ）と色信号（Ｃ）とに分離し、コンポーネント映像信号に変換する。３ＤＹＣ分離回路５は、変換したコンポーネント映像信号をＡＤ変換回路６に送信する。
【００２１】
ＡＤ変換回路６は、入力切替部４から受信したアナログＨＤ入力に対応する映像信号、または３ＤＹＣ分離回路５から受信した、コンポーネント映像信号をデジタル信号に変換する。ＡＤ変換回路６は、デジタル変換した映像信号を色空間変換回路７に送信する。
【００２２】
色空間変換回路７は、入力切替部４から受信したデジタル入力に対応する映像信号、または、ＡＤ変換回路６から受信した映像信号の色空間信号を、をＲＧＢ表色系の色空間信号からＹＰｂＰｒ色空間で表現される表色系の色空間信号へ変換する。色空間変換回路７は、変換した映像信号を画像処理制御部８へ送信する。
【００２３】
画像処理制御部８は、色空間変換回路７から受信した映像信号に対して、各種の画質調整処理を行う。また、画像処理制御部８は、指示受付部１４が受け付けたユーザからの画質調整指示に基づいて、色空間変換回路７から受信した映像信号に対して、各種の画質調整処理を行う。画像処理制御部８は、画質調整処理が施された映像信号を倍速変換処理部９に送信する。なお、画像処理制御部８が行う処理の詳細については、後述する。
【００２４】
倍速変換処理部９は、画像処理制御部８から受信した映像信号に対して、周波数を２倍にするいわゆる倍速変換処理を行う。例えば、６０フレーム／秒（Ｈｚ）の映像信号を１２０フレーム／秒（Ｈｚ）に変換する。倍速変換処理部９は、倍速変換処理が行われた映像信号を液晶タイミングコントロール部１０へ送信する。
【００２５】
液晶タイミングコントロール部１０は、倍速変換処理部９から受信した映像信号を、表示部１３に表示することが可能な映像フォーマットに変換し、変換した映像信号を表示部１３の表示制御部（不図示）へ送信する。また、液晶タイミングコントロール部１０は、表示部１３のバックライト（不図示）を点灯させるタイミングを制御するため、表示制御部へ送信する映像信号に同期した制御信号をＬＥＤドライバ回路１２に送信する。
【００２６】
ＬＥＤドライバ回路１２は、マイコン制御部１１により制御されている。液晶タイミングコントロール部１０から制御信号を受信したＬＥＤドライバ回路１２は、受信した制御信号に従って、表示部１３のバックライトに制御信号を送信し、ＬＥＤの点灯を制御する。
【００２７】
表示部１３は、上述したように、表示制御部とバックライトとを備えており、表示制御部に送られた映像信号と、バックライトに送られた制御信号とを同期させることにより映像を表示する。
【００２８】
指示受付部１４は、ユーザからの指示（入力操作とも呼ぶ）を受け付ける。ユーザからの指示は、例えば、図示しないリモートコントローラ（リモコンとも呼ぶ）、および、表示装置１に備えられている図示しないボタン等の操作部を介して受け付けられる。指示受付部１４がユーザから画質を調整する指示を受け付けた場合、指示受付部１４は、受け付けた指示に対応する制御信号を、画像処理制御部８に送信する。本実施形態においては、指示受付部１４が受け付けるユーザからの入力操作として、画質を調整する操作、および、ＡＶモードを切り替える操作の場合について主に取り扱うが、本発明はこれに限定されるものではない。すなわち、指示受付部１４は、その他の表示装置１に対する指示を受け付けるように構成されていてもよい。
【００２９】
以上のように、上記のように構成された本実施形態に係る表示装置１は、受信した映像信号に対して画像処理制御部８により画質調整処理を行った上で、表示部１３に表示する。
【００３０】
（画像処理制御部８について）
続いて、本実施形態に係る表示装置１の画像処理制御部８が行う画質調整処理の詳細について、図１を参照しながら説明する。図１は、本実施形態に係る表示装置１の画像処理制御部８の構成を示すブロック図である。
【００３１】
画像処理制御部８は、色信号処理部８１、特定色検出部８２、画質調整部８３、ＡＶモード検出部８８、ユーザ調整値検出部８９、および特定色演算処理部９０を備えている。色空間変換回路７から画像処理制御部８に送られた映像信号は、画像処理制御部８の色信号処理部８１に入力される。
【００３２】
色信号処理部８１は、表示装置１に現在設定されているＡＶモードに応じて、表示装置１の表示色の色再現範囲を変更する。例えば、ダイナミックモードにおいては、色信号処理部８１は、より色鮮やかな表示色となるように、表示装置１の色再現範囲を変更する。一方で、シネマモードにおいては、元の映像信号を忠実に再現するように、色信号処理部８１は、表示装置１の色再現範囲をＥＢＵ比１００％の色再現範囲に変更する。
【００３３】
表示装置１の表示色の色再現範囲は、本実施形態では、ＲＧＢ表色系のＲＧＢ各色のｘｙ色度図上における座標値によって定められている。すなわち、ｘｙ色度図上において、ＲＧＢの各座標を頂点とする三角形領域が、表示装置１の表示色の色再現範囲である。したがって、色信号処理部８１は、ＡＶモードに応じて、各頂点の座標を変更することにより色再現範囲を変更する。色信号処理部８１は、変更した色再現範囲に対応した映像信号を特定色検出部８２に送信する。
【００３４】
特定色検出部８２は、受信した映像信号の示す画像に、予め指定されている色領域に含まれる色を呈する画像が含まれているか否かを検出する。以下では、予め指定されている色領域に含まれる色を特定色とも呼ぶ。なお、本実施形態に係る表示装置１において特定色検出部８２が検出する特定色を、ユーザにより指定する構成としてもよい。上記の場合には、指示受付部１４が指定された特定色を示すユーザからの操作指示を受け付け、受け付けた操作指示に基づいて、指定された特定色を特定色検出部８２に通知する構成としてもよい。また、指示受付部１４は、ユーザから指定された特定色を示す特定色情報をメモリ（不図示）に格納し、特定色検出部８２が、当該メモリを参照することにより、受信した映像信号の示す画像に特定色を呈する画像が含まれているか否かを検出する構成としてもよい。
【００３５】
特定色検出部８２は、受信した映像信号の示す画像に、特定色を呈する画像が含まれていないことを検出した場合、受信した映像信号を画質調整部８３に送信する。また、特定色検出部８２は、受信した映像信号の示す画像に、特定色を呈する画像が含まれていることを検出した場合、受信した映像信号を特定色演算処理部９０に送信する。
【００３６】
画質調整部８３は、ノイズリダクション（ＮＲとも呼ぶ）処理部８４、輪郭強調処理部８５、特定色ノイズリダクション（ＮＲ）処理部８６、および特定色輪郭強調処理部８７を備えており、入力された映像信号に対する様々な画質調整処理を行う。なお、本実施形態においては、画質調整部８３が行う画質調整処理の一例として、ＮＲ処理、および輪郭強調処理について取り扱うが、これは本発明を限定するものではなく、例えば、画像の斜め線を補正する処理、および、その他の画質調整処理を行ってもよい。特定色検出部８２から画質調整部８３に送られる映像信号は、画質調整部８３のうち、ＮＲ処理部８４に入力される。
【００３７】
ＮＲ処理部８４は、特定色検出部８２から受信した映像信号のノイズを除去するＮＲ処理を行う。ＮＲ処理部８４は、ＮＲ処理を施した映像信号を、輪郭強調処理部８５に送信する。
【００３８】
輪郭強調処理部８５は、ＮＲ処理部８４から受信した映像信号に対して、輪郭強調処理を行う。輪郭強調処理部８５は、輪郭強調処理を施した映像信号を、倍速変換処理部９に送信する。
【００３９】
以上のように、画像処理制御部８に入力された映像信号の示す画像に特定色が含まれていない場合は、画像処理制御部８は、通常の画像処理を施した後に、倍速変換処理部９に映像信号を送信する。
【００４０】
次に、特定色検出部８２に入力された映像信号の示す画像に特定色を呈する画像が含まれている場合について説明する。
【００４１】
本実施形態に係る表示装置１は、画質調整の対象となる色領域の色度図上での位置を補正するために、ＡＶモード検出部８８、ユーザ調整値検出部８９、および特定色演算処理部９０を備えている。なお、以下では、「画質調整の対象となる色領域の色度図上での位置を補正する」ことを、単に「色領域を補正する」と表現することもある。入力された映像信号の示す画像に特定色が含まれていることを検出した場合、特定色検出部８２は、入力された映像信号を特定色演算処理部９０に送信する。
【００４２】
ＡＶモード検出部８８は、表示装置１に現在設定されているＡＶモードを検出する。ＡＶモード検出部８８は、検出したＡＶモードを示すモード情報を特定色演算処理部９０に送信する。ＡＶモードを検出する方法としては、表示装置１に対する設定を示す設定情報が格納されているＣＰＵおよびメモリ（不図示）を参照することにより検出する方法を用いてもよいし、指示受付部１４が受け付けたユーザからのＡＶモードの変更指示に基づいて検出する方法を用いてもよい。
【００４３】
ユーザ調整値検出部８９は、ユーザにより変更された色設定の調整値を検出する。ユーザ調整値検出部８９は、検出した調整値を特定色演算処理部９０に送信する。ユーザ調整値の検出方法としては、指示受付部１４が受け付けたユーザからの色設定を変更する指示に基づいて検出する方法を用いてもよい。
【００４４】
特定色演算処理部９０は、ＡＶモード検出部８８、およびユーザ調整値検出部８９から受信したモード情報、および調整値に基づいて、色領域を補正する。色領域の補正処理の詳細については、参照する図面を変えて後述する。
【００４５】
特定色演算処理部９０は、色領域を補正した後に、入力された映像信号を特定色ＮＲ処理部８６に送信する。
【００４６】
特定色ＮＲ処理部８６は、特定色演算処理部９０から受信した映像信号の示す画像のうち、補正された色領域に含まれる色（補正された特定色とも呼ぶ）を呈する画像のノイズを除去するＮＲ処理を行う。特定色ＮＲ処理部８６は、ＮＲ処理を施した映像信号を、特定色輪郭強調処理部８７に送信する。
【００４７】
特定色輪郭強調処理部８７は、特定色ＮＲ処理部８６から受信した映像信号の示す画像のうち、補正された特定色を呈する画像の輪郭を強調するように輪郭強調処理を行う。特定色輪郭強調処理部８７は、輪郭強調処理を施した映像信号を、倍速変換処理部９に送信する。
【００４８】
以上のように、画像処理制御部８に入力された映像信号の示す画像に、特定色を呈する画像が含まれている場合は、画像処理制御部８は、表示装置１に現在設定されているＡＶモード、およびユーザにより変更された色設定の調整値を検出する。続いて、画像処理制御部８は、検出されたＡＶモードおよび調整値に基づいて色領域を補正する。そして、画像処理制御部８は、映像信号のうち、補正された特定色を呈する画像の画像処理を施すことができる。画像処理制御部８は、画像処理が施された映像信号を倍速変換処理部９に送信する。
【００４９】
（表示装置１の処理の手順について）
続いて、図３を参照しながら、本実施形態に係る表示装置１が行う処理の流れについて説明する。図３は、本実施形態に係る表示装置１の処理の手順を示すフローチャートである。
【００５０】
初めに、表示装置１に映像信号が入力される（ステップＳ１）。この際に入力される映像信号としては、アンテナ２０を介してチューナ部２が受信したアナログおよびデジタル放送信号であってもよいし、外部機器３０を介して外部入力部３が受信した映像信号であってもよい。映像信号を受信したチューナ部２または外部入力部３は、受信した映像信号を入力切替部４に送信する。
【００５１】
続いて、入力切替部４は、受信した映像信号がアナログＳＤ入力に対応した信号であるかを判別する（ステップＳ２）。受信した映像信号がアナログＳＤ入力に対応した信号である場合（ステップＳ２にてＹＥＳ）、入力切替部４は、受信した映像信号を３ＤＹＣ分離回路５へ送信する。受信した映像信号がアナログＳＤ入力に対応した信号でない場合（ステップＳ２にてＮＯ）、入力切替部４は、受信した映像信号がアナログＨＤ入力に対応した信号であるかを判別する（ステップＳ３）。受信した映像信号がアナログＨＤ入力に対応した信号である場合（ステップＳ３にてＹＥＳ）、入力切替部４は、受信した映像信号をＡＤ変換回路６へ送信する。受信した映像信号がアナログＨＤ入力に対応した信号でない場合（ステップＳ３にてＮＯ）、入力切替部４は、受信した映像信号はデジタル入力であると判断し、受信した映像信号を色空間変換回路７へ送信する。
【００５２】
続いて、アナログＳＤ入力に対応したコンポジット映像信号を受信した３ＤＹＣ分離回路５は、映像信号を輝度信号（Ｙ）と色信号（Ｃ）とに分離し、コンポーネント映像信号に変換する。３ＤＹＣ分離回路５は、変換したコンポーネント映像信号をＡＤ変換回路６に送信する（ステップＳ４）。
【００５３】
続いて、ＡＤ変換回路６は、入力切替部４からアナログＨＤ入力に対応する映像信号、または３ＤＹＣ分離回路５からコンポーネント映像信号を受信する。ＡＤ変換回路６は、受信した映像信号をデジタル信号に変換し、映像信号を色空間変換回路７に送信する（ステップＳ５）。
【００５４】
続いて、色空間変換回路７は、入力切替部４からデジタル入力に対応する映像信号、または、ＡＤ変換回路６から映像信号を受信する。色空間変換回路７は、受信した映像信号の色空間信号を、ＲＧＢ表色系の色空間信号からＹＰｂＰｒ色空間で表現される表色系の色空間信号へ変換する。色空間変換回路７は、変換した映像信号を画像処理制御部８へ送信する（ステップＳ６）。
【００５５】
続いて、色空間変換回路７から映像信号を受信した画像処理制御部８は、映像信号に対して、各種の画質調整処理を行う（ステップＳ７）。この際、画像処理制御部８は、指示受付部１４が受け付けたユーザからの画質調整指示に基づいて、色空間変換回路７から受信した映像信号に対して、各種の画質調整処理を行ってもよい。画像処理制御部８は、画質調整処理が施された映像信号を倍速変換処理部９に送信する。なお、画像処理制御部８が行う画質調整処理の手順の詳細（すなわちステップＳ７の詳細）については、参照する図面を変えて後述する。
【００５６】
続いて、画像処理制御部８から映像信号を受信した倍速変換処理部９は、映像信号に対して、周波数を２倍にするいわゆる倍速変換処理を行う。倍速変換処理部９は、倍速変換処理が行われた映像信号を液晶タイミングコントロール部１０へ送信する（ステップＳ８）。
【００５７】
続いて、倍速変換処理部９から映像信号を受信した液晶タイミングコントロール部１０は、映像信号を表示部１３に表示することが可能な映像フォーマットに変換し、変換した映像信号を表示部１３の表示制御部（不図示）へ送信する（ステップＳ９）。この際、液晶タイミングコントロール部１０は、表示部１３のバックライト（不図示）を点灯させるタイミングを制御するため、表示制御部へ送信する映像信号に同期した制御信号をＬＥＤドライバ回路１２に送信する。さらに、液晶タイミングコントロール部１０から制御信号を受信したＬＥＤドライバ回路１２は、受信した制御信号に従って、表示部１３のバックライトに制御信号を送信し、ＬＥＤの点灯を制御する。
【００５８】
続いて、表示部１３は、表示制御部に送られた映像信号と、バックライトに送られた制御信号とを同期させることにより映像を表示する（ステップＳ１０）。
【００５９】
以上の手順により、表示装置１は、受信した映像信号に対して画像処理制御部８により画質調整処理を行った上で、表示部１３に表示する。
【００６０】
（画質調整処理の手順の詳細について）
以下では、図３のステップＳ７における画質調整処理の手順の詳細について図４を参照しながら説明する。図４は、本実施形態に係る表示装置１の処理の手順のうち、画質調整処理の手順（図３のステップＳ７）の詳細を示すフローチャートである。
【００６１】
図３のステップＳ６にて、色空間変換回路７は、色空間信号を変換した映像信号を、色信号処理部８１に送信する。色空間信号を変換した映像信号を受信した色信号処理部８１は、表示装置１に現在設定されているＡＶモードに応じて、表示装置１の色再現範囲を変更する（ステップＳ７１）。色信号処理部８１は、変更した色再現範囲に対応する映像信号を特定色検出部８２に送信する。
【００６２】
続いて、特定色検出部８２は、受信した映像信号の示す画像に、特定色を呈する画像が含まれているか否かを検出する（ステップＳ７２）。受信した映像信号の示す画像に、特定色を呈する画像が含まれていることを検出した場合（ステップＳ７２にてＹＥＳ）、特定色検出部８２は、受信した映像信号を特定色演算処理部９０に送信する。受信した映像信号の示す画像に、特定色を呈する画像が含まれていないことを検出した場合（ステップＳ７２にてＮＯ）、受信した映像信号を画質調整部８３のＮＲ処理部８４に送信する。
【００６３】
続いて、ＡＶモード検出部８８は、表示装置１に現在設定されているＡＶモードを検出し、検出したＡＶモードを示すモード情報を特定色演算処理部９０に送信する（ステップＳ７３）。
【００６４】
続いて、ユーザ調整値検出部８９は、ユーザにより変更された色設定の調整値を検出し、検出した調整値を特定色演算処理部９０に送信する（ステップＳ７４）。
【００６５】
続いて、特定色演算処理部９０は、ＡＶモード検出部８８、およびユーザ調整値検出部８９から受信したモード情報、および調整値に基づいて、色領域を補正する（ステップＳ７５）。
【００６６】
続いて、特定色ＮＲ処理部８６は、特定色演算処理部９０から受信した映像信号の示す画像のうち、補正された特定色を呈する画像のノイズを除去するＮＲ処理を行う（ステップＳ７６）。特定色ＮＲ処理部８６は、ＮＲ処理を施した映像信号を、特定色輪郭強調処理部８７に送信する。
【００６７】
続いて、特定色輪郭強調処理部８７は、特定色ＮＲ処理部８６から受信した映像信号の示す画像のうち、補正された特定色を呈する画像の輪郭を強調するように輪郭強調処理を行う（ステップＳ７７）。特定色輪郭強調処理部８７は、輪郭強調処理を施した映像信号を、倍速変換処理部９に送信する。
【００６８】
一方、ステップＳ７２にて特定色検出部８２から映像信号を受信したＮＲ処理部８４は、受信した映像信号のノイズを除去するＮＲ処理を行う（ステップＳ７８）。ＮＲ処理部８４は、ＮＲ処理を施した映像信号を、輪郭強調処理部８５に送信する。
【００６９】
続いて、輪郭強調処理部８５は、ＮＲ処理部８４から受信した映像信号に対して、輪郭強調処理を行う（ステップＳ７９）。輪郭強調処理部８５は、輪郭強調処理を施した映像信号を、倍速変換処理部９に送信する。
【００７０】
以上の手順により、本実施形態に係る表示装置１は、入力された映像信号の示す画像に特定色を呈する画像が含まれている場合、表示装置１に現在設定されているＡＶモード、およびユーザにより変更された色設定の調整値を検出する。表示装置１は、検出されたＡＶモードおよび調整値に基づいて、色領域を補正した上で、補正された特定色を呈する画像の画質調整処理を行うことができる。
【００７１】
（色領域の補正処理について）
以下では、本実施形態に係る表示装置１（特に特定色演算処理部９０）が行う、色領域の補正処理について、図５から９を参照して説明する。
【００７２】
図５は、本実施形態に係る表示装置１の各ＡＶモードの画質調整パラメータの一例を示す図である。図５に示すように、本実施形態に係る表示装置１は、各ＡＶモードに対してノイズリダクション（ＮＲとも呼ぶ）処理、輪郭強調（シャープネスとも呼ぶ）処理、および、特定色を呈する画像に対するシャープネス処理（色指定シャープネス）の各画質調整処理の強さの程度を示す数値と、色再現範囲の設定に用いる色信号の規格とが予め設定されている。
【００７３】
ここで、画質調整処理の強さの程度を示す数値は、画質調整処理の強さのレベルを示したものであり、数値が大きいほど強い画質調整処理を施す、すなわち画質が向上することを表している。本実施形態においては、「０」〜「５」の６段階の画質調整処理の強さを設定する場合について説明するが、これは本発明を限定するものではない。また、図５に示した画質調整パラメータは、あくまで一例であって、本発明を限定するものではない。すなわち、図示した以外のＡＶモード、画質調整処理が設定されていてもよい。
【００７４】
図５に示すように、本実施形態においてはＡＶモードとして、ダイナミックモード、スタンダードモード、シネマモード、およびＰＣモードが用いられる。ダイナミックモードは、例えば、店頭に陳列する際などに用いられるモードであり、ユーザの記憶色に基づいて、より色鮮やかに表示するモードである。したがって、色再現範囲の設定としては、記憶色が用いられ、各画質調整処理の強さの程度を示す数値は、いずれも最大の「５」を示している。なお、記憶色とは、視聴者が記憶している色により近づけるよう設定された色再現範囲のことを指す。また、スタンダードモードは、例えば、自宅にてユーザが視聴するような最も標準的なモードである。このような場合には、色再現範囲の設定としてはスタンダードな色領域が用いられ、各画質調整処理の強さの程度を示す数値は、いずれも中程度の「３」を示している。また、シネマモードは、元の映像信号に忠実に再現して表示するモードであるため、色再現範囲の設定としては、ＥＢＵ規格が用いられ、各画質調整処理の強さの程度を示す数値は、いずれも「１」を示している。さらに、ＰＣモードは、ＰＣから入力された映像信号に基づいて表示するモードであるため、特別な画質調整処理は行わない。したがって、色再現範囲の設定としては、ノーマル（すなわち表示装置１の標準の色再現範囲）が用いられ、各画質調整処理の強さの程度を示す数値は、いずれも最小の「０」（すなわち画質調整処理を行わない）を示している。
【００７５】
以下では、図６を参照しながら、色領域の補正処理について説明する。
【００７６】
図６は、本実施形態に係る表示装置１の各ＡＶモードの色再現範囲の一例を示す図である。図６の（ａ）は、ＡＶモード毎の色再現範囲を示すＲＧＢ各色のｘｙ色度図上における座標値を示した表である。図６の（ｂ）は、図６の（ａ）に示した各々の座標値を、ＰＣモードを基準とした差分値として表した表である。図６の（ｃ）は、図６の（ａ）に示した各々の座標値に基づいて、各ＡＶモードの色再現範囲を示した図である。
【００７７】
図６の（ｃ）に示すように、色度図上のＲＧＢの各頂点を結ぶ線分で囲まれた三角形の範囲が、表示装置１の色再現範囲である。図６の（ｃ）において、実線で示された範囲がＰＣモードにおける色再現範囲を示している。同様に、破線で示された範囲がシネマモードにおける色再現範囲を示し、一点鎖線で示された範囲がスタンダードモードにおける色再現範囲を示し、二点鎖線で示された範囲がダイナミックモードにおける色再現範囲を示している。すなわち、表示装置１の色信号処理部８１は、色度図上における色再現範囲の各頂点を変更することにより、色再現範囲を変更するものである。
【００７８】
図６の（ｃ）に示すように、ＰＣモードからダイナミックモードに変更された場合には、ＰＣモードにおける色再現範囲の各頂点が移動されることにより、色再現範囲が拡大される。しかしながら、ＡＶモードが、ダイナミックモードに変更された場合においても、予め定められている色領域の色度図上での位置を示す座標値の変更は行われない。すなわち、色再現範囲が変更されることにより、色再現範囲と、予め定められている色領域との色度図上における相対的な位置関係が変更されることになる。
【００７９】
例えば、図６の（ｃ）に示す例において、画質調整処理の対象となる色領域として、ＰＣモードにおける色再現範囲の頂点Ｇの近傍が予め指定されている場合について説明する。図６の（ｃ）に示す例において、ＡＶモードがＰＣモードからダイナミックモードに変更されると、色再現範囲の各頂点のうち、頂点Ｇの座標値は、他の頂点（頂点Ｒおよび頂点Ｂ）と比較して大きく変更されている。この場合においては、画質調整処理の対象となる色領域は、ダイナミックモードにおける意図再現範囲の頂点Ｇの近傍であることが好ましい。しかしながら、予め定められている色領域の色度図上での位置を示す座標値は変更されていないため、画質調整処理の対象となる色領域は、所望の色領域と異なっている。したがって、色領域を補正することなく、特定色を呈する画像の画質調整処理を行うと、所望の画質調整処理が行われない場合が生じ得る。
【００８０】
本実施形態に係る表示装置１は、所望の画質調整処理を行うために、色再現範囲の変更に応じて色領域を補正する。図６の（ｂ）に示すように、表示装置１は、各々の色再現範囲を示すＲＧＢの各頂点の座標値の差分を算出する。図６の（ｂ）においては、ＰＣモードと、他のＡＶモードとの差分のみを示しているが、これは本発明を限定するものではない。すなわち、本実施形態に係る表示装置１は、シネマモードと他のＡＶモードとの差分、スタンダードモードと他のＡＶモードとの差分、および、ダイナミックモードと他のＡＶモードとの差分をメモリ（不図示）等に予め格納している構成としてもよい。
【００８１】
本実施形態に係る表示装置１は、ＡＶモードを変更した場合においても図６の（ｂ）に示すような、他のＡＶモードとの色再現範囲の差分を算出し、算出された差分に基づいて、予め定められている色領域の色度図上での位置を示す座標値を変更することにより、色領域を補正することができる。
【００８２】
続いて、図７から９を参照しながら、ユーザにより色設定が変更されていた場合における、色領域の補正処理について説明する。図７は、色領域の補正処理の一例を示す図である。
【００８３】
図７の（ａ）は、ＡＶモード毎の特定色の指定において、ｘｙ色度図平面からＵＶ平面に変換し、ＵＶ平面上における特定色を指定する設定パラメータを示す図である。図７の（ｂ）は、ＵＶ平面上において指定された特定色を示す図である。なお、図７の（ｂ）において、Ｕ軸とＶ軸とが直交する頂点Ｇ（図７の（ｂ）において左上隅）の近傍がＧの領域である。また、Ｕ軸とＶ軸とが直交する点からＶ軸正方向側の頂点Ｒ（図７の（ｂ）において右上隅）の近傍がＲの領域であり、Ｕ軸とＶ軸とが直交する点からＵ軸正方向側の頂点Ｂ（図７の（ｂ）において左下隅）の近傍がＢの領域である。
【００８４】
図７の（ｂ）に示すように、特定色を指定するための色領域は、ＵＶ平面上において交差する２本の直線によって定められる。例えば、Ｇの領域を特定色として指定する場合、図７の（ｂ）に示した２本の直線と、頂点Ｇから直交するＵ軸およびＶ軸とによって囲まれる領域が特定色として指定される。
【００８５】
図７の（ａ）に示す各係数は、特定色としてＧの領域が指定されている場合において、ＡＶモード毎の色再現範囲に対応した色領域を指定するための係数である。図７の（ａ）に示されているALPHA UおよびALPHA Vは直線の傾きを示し、BETA UおよびBETA Vは直線の切片を表している。すなわち、図７の（ｂ）において実線および破線で示された２本の直線は、図７の（ａ）に示す係数に基づいて、Ｕ＝（ALPHA U）×V＋（BETA U）、および、Ｖ＝（ALPHA V）×U＋（BETA V）として定められる。
【００８６】
したがって、図７の（ａ）に示す設定パラメータを用いることにより、本実施形態に係る表示装置１は、ＡＶモードごとに色領域の補正を行うことができる。
【００８７】
表示装置１は、ユーザから所定の操作入力を受け付けることにより、図８に示すような色設定画面を表示部に表示させる。図８は、ユーザが画質調整を指示する際に表示装置１が表示する色設定画面の一例を示す図である。図８に示した色設定画面は、あくまで一例であり、本発明を限定するものではない。
【００８８】
図８に示すように、色設定画面には、画質調整モード表示領域１４１、対象色表示領域１４２、スライドバー１４３、および調整値表示領域１４４が含まれている。画質調整モード表示領域１４１は、現在設定されているＡＶモードを表示する領域であり、図８に示す例においては、ダイナミックモードであることを示す「ＤＹＮＡＭＩＣ」が表示されている。対象色表示領域１４２は、ＲＧＢＣＭＹの各色の何れに対する色設定かを示す領域であり、本実施形態においては、各色に対応する６つの対象色表示領域１４２が表示されている。スライドバー１４３は、対象色表示領域１４２に表示されている各色に対する色設定を変更するためのスライドバーである。表示装置１は、ユーザからスライドバー１４３を左右の何れかの方向に移動させることを示す所定の操作指示を受け付けることにより、対象色の色設定を変更する。図８に示すように、本実施形態に係る表示装置１は、−３０から＋３０までの６１段階の色設定調整を行うことができる。例えば、図８に示すように、Ｒの色設定を変更する場合においては、Ｒをマゼンタまたはイエローに近づけるような色設定調整を行うことができる。調整値表示領域１４４は、ユーザにより調整された調整値を示す領域であり、−３０から＋３０までの何れかの数字が表示される。
【００８９】
例えば、図８に示す色設定画面において、ＲＧＢＣＭＹのうち何れかの色設定を変更する操作指示をユーザから受け付けると、表示装置１は、操作指示に基づいて、色再現範囲を変更する。より具体的には、表示装置１は、色設定が変更された色の色度図上の頂点の座標を変更することにより、色再現範囲を変更する。この際、表示装置１は、操作指示を受け付ける前に設定されていた色再現範囲と、変更された色再現範囲との差分を算出する。表示装置１は、ユーザ調整値に基づいて算出された差分を用いることにより、色領域を補正することができる。
【００９０】
図９は、本実施形態に係る表示装置１において、変更された色再現範囲に応じて色領域を補正する処理の一例について説明するための模式図である。
【００９１】
図９に示すｘｙ色度図において、実線で示された三角形領域が、変更される前の色再現範囲を表し、破線で示された三角形領域が、変更された色再現範囲を表している。図９の実線で示された三角形領域において、２本の直線で区切られ、斜線で示されている領域は、予め定められている色領域Ｒを示している。
【００９２】
例えば、図８に示す色設定画面において、ユーザからＧの色設定をマイナス方向に変更する（図８におけるＧの色設定に対応したスライドバー１４３をイエローに近づける）指示を受け付けた場合、表示装置１は、頂点Ｇの座標を頂点Ｒに近づく方向（図９にて矢印で示す方向）に変更する。図９において、頂点Ｇ’は、座標を変更された頂点Ｇを表している。表示装置１は、頂点Ｇの座標の変更により、実線で示された色再現範囲を、破線で示された色再現範囲に変更する。図９に示す例において、予め定められている色領域Ｒは、破線で示された色再現範囲の範囲外に存在している。表示装置１は、色再現範囲の変更に対応するように、色領域Ｒを、図９においてドットハッチで示された領域である色領域Ｒ’に補正する。より具体的には、表示装置１は、色再現範囲における変更前の頂点Ｇから変更後の頂点Ｇ’への向きに沿って色領域Ｒを移動させることにより、色領域Ｒを色領域Ｒ’に補正する。
【００９３】
以上のように、本実施形態に係る表示装置１は、ユーザにより色設定が変更された場合においても、色再現範囲の変更に伴って、色領域を補正することができるので、補正された特定色を呈する画像の画質調整を行うことができる。
【００９４】
以上、本実施形態に係る表示装置１について説明した。続いて、以下では、本発明の他の実施形態について説明する。
【００９５】
〔実施形態２〕
本発明の他の実施形態に係る表示装置１について説明すれば、以下のとおりである。なお、説明の便宜上、前記実施形態にて説明した部材と同じ機能を有する部材については、同じ符号を付記し、その説明を省略する。
【００９６】
実施形態１においては、特定色として、緑色（Ｇ）領域の色を呈する画像が含まれているか否かを検出する構成について説明したが、これは本発明を限定するものではない。本実施形態においては、第１の特定色として、緑色（Ｇ）領域を指定し、第２の特定色として青色（Ｂ）領域を指定する構成について説明する。すなわち、図６の（ｃ）に示す色度図において、ＰＣモードにおける色再現範囲の頂点Ｇの近傍および頂点Ｂの近傍が特定色として指定されている場合について説明する。
【００９７】
本実施形態に係る表示装置１の構成および処理手順のうち、実施形態１に係る表示装置１と同様の構成および処理手順については説明を省略する。
【００９８】
本実施形態に係る表示装置１は、ＡＶモードがＰＣモードからダイナミックモードに変更された場合には、色再編範囲の各頂点が移動されることにより、色再現範囲が拡大される。しかしながら、第１の特定色および第２の特定色の色領域の座標値は変更されない。したがって、色領域を補正することなく、特定色を呈する画像の画質調整処理を行うと、所望の画質調整処理が行われない場合が生じ得る。
【００９９】
本実施形態に係る表示装置１は、所望の画質調整処理を行うために、第１の特定色および第２の特定色の色領域を補正する。図６の（ｂ）に示すように、表示装置１は、各々の色再現範囲を示すＲＧＢの各頂点の座標値の差分を算出する。
【０１００】
本実施形態に係る表示装置１においては、ＡＶモードを変更した場合においても図６の（ｂ）に示すような、他のＡＶモードとの色再現範囲の差分を算出する。表示装置１は、算出された差分に基づいて、第１の特定色および第２の特定色の色領域の座標値をそれぞれ変更することにより、色領域を補正することができる。
【０１０１】
したがって、本実施形態に係る表示装置１は、実施形態１に係る表示装置１と同様に、補正された複数の特定色を呈する各々の画像に対して、好適に画質調整処理を行うことができる。
【０１０２】
〔実施形態３〕
実施形態２においては、複数の特定色を呈する各々の画像に対して、同一の画質調整処理を行う構成について説明したが、これは本発明を限定するものではない。本実施形態においては、複数の色領域を指定し、各々の特定色を呈する画像に対して異なる画質調整処理を行う構成について説明する。
【０１０３】
本実施形態に係る表示装置１の構成および処理手順のうち、実施形態１、２に係る表示装置１と同様の構成および処理手順についてはその説明を省略する。
【０１０４】
本実施形態に係る表示装置１は、実施形態２に係る表示装置１と同様の手順により、複数の色領域を補正する。複数の色領域を補正した特定色演算処理部９０は、特定色検出部８２から受信した映像信号を特定色ＮＲ処理部８６に送信する。
【０１０５】
本実施形態においては、特定色ＮＲ処理部８６は、特定色演算処理部９０から受信した映像信号のうち、第１の特定色を呈する画像のノイズを除去するＮＲ処理を行う。特定色ＮＲ処理部８６は、ＮＲ処理を施した映像信号を、特定色輪郭強調処理部８７に送信する。
【０１０６】
続いて、特定色輪郭強調処理部８７は、特定色ＮＲ処理部８６から受信した映像信号のうち、第２の特定色を呈する画像の輪郭を強調するように輪郭強調処理を行う。特定色輪郭強調処理部８７は、輪郭強調処理を施した映像信号を、倍速変換処理部９に送信する。
【０１０７】
以上のように、本実施形態に係る表示装置１は、複数の特定色が指定されていた場合に、各々の特定色を呈する画像に対して、互いに異なる画質調整処理を行うことができる。なお、上述した画質調整処理は一例であり、本発明を限定するものではない。すなわち、第１の特定色を呈する画像に対して、輪郭強調処理を施し、第２の特定色を呈する画像に対してＮＲ処理を施す構成としてもよいし、ＮＲ処理および輪郭強調処理だけではなく、例えば斜め線補正、およびその他の画質調整処理を施す構成としてもよい。
【０１０８】
〔ソフトウェアによる実現例〕
表示装置１の制御ブロック（特に画像処理制御部８）は、集積回路（ＩＣチップ）等に形成された論理回路（ハードウェア）によって実現してもよいし、ＣＰＵ（Central Processing Unit）を用いてソフトウェアによって実現してもよい。
【０１０９】
後者の場合、表示装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１１０】
〔まとめ〕
本発明の態様１に係る表示装置１は、表示色の色再現範囲を変更する変更手段（色信号処理部８１）と、色領域を指定して画像の画質調整を行う画質調整手段（画質調整部８３）と、上記画質調整手段が指定する色領域を、上記変更手段により変更された色再現範囲に対応するように補正する補正手段（特定色演算処理部９０）と、を備えていることを特徴とする。
【０１１１】
上記の構成によれば、上記補正手段は、上記変更手段により変更された色再現範囲に対応するように上記画質調整手段が指定する色領域を補正するため、上記画質調整手段は、上記補正手段により補正された色領域を指定して、画像の画質調整を行うことができる。
【０１１２】
したがって、上記の構成によれば、表示装置１は、表示色の色再現範囲が変更された場合においても、視聴者にとって自然な画質調整を行うことができる。
【０１１３】
本発明の態様２に係る表示装置１は、上記態様１において、上記変更手段は、色度図上における色再現範囲の各頂点の座標を変更することにより色再現範囲を変更するものであり、上記補正手段は、色再現範囲における変更前のある頂点から変更後の当該ある頂点への向きに沿って上記色領域を移動させることにより、上記色領域を補正することが好ましい。
【０１１４】
上記の構成によれば、上記変更手段は、色度図上における色再現範囲の各頂点の座標を変更することにより色再現範囲を変更する。上記補正手段は、色再現範囲における変更前のある頂点から変更後の当該ある頂点への向きに沿って上記色領域を移動させることにより、上記色領域を補正することができる。
【０１１５】
したがって、上記の構成によれば、表示装置１は、表示色の色再現範囲が変更された場合においても、視聴者にとってより自然な画質調整を行うことができる。
【０１１６】
本発明の態様３に係る表示装置１は、上記態様２において、上記補正手段は、上記各頂点の座標値と、上記変更手段により変更された各頂点の座標値との差分に基づいて、上記色領域を補正することが好ましい。
【０１１７】
上記の構成によれば、上記補正手段は、色再現範囲の各頂点の座標値と、上記変更手段により変更された各頂点の座標値との差分を算出し、算出した差分に基づいて上記色領域を補正することができる。
【０１１８】
したがって、上記の構成によれば、表示装置１は、表示色の色再現範囲が変更された場合においても、視聴者にとってより自然な画質調整を行うことができる。
【０１１９】
本発明の態様４に係る表示装置１は、上記態様１から３のいずれかの態様において、上記変更手段は、選択可能な画質調整モード（ＡＶモード）のそれぞれに応じて、上記色再現範囲を変更することが好ましい。
【０１２０】
上記の構成によれば、上記変更手段は、画質調整モードの変更に応じて色再現範囲を変更する。したがって、上記の構成によれば、表示装置１は、画質調整モードが変更された場合においても、視聴者にとって自然な画質調整を行うことができる。
【０１２１】
本発明の態様５に係る表示装置１は、上記態様１から４のいずれかの態様において、ユーザによる画質調整指示を受け付ける指示受付手段（指示受付部１４）をさらに備え、上記変更手段は、上記指示受付手段が受け付けた上記画質調整指示の示す画質調整値に基づいて、色再現範囲を変更する、ことが好ましい。
【０１２２】
上記の構成によれば、表示装置１は、ユーザからの画質調整を指示する画質調整指示を受け付ける。上記変更手段は、上記指示受付手段が受け付けた上記画質調整指示の示す画質調整値に基づいて、上記色再現範囲を変更することができる。
【０１２３】
したがって、上記の構成によれば、ユーザが画質調整を行っていた場合においても、視聴者にとって自然な画質調整を行うことができる。
【０１２４】
本発明の態様６に係る表示装置１は、上記態様１から５のいずれかの態様において、上記画質調整手段は、上記補正手段により補正された色領域を指定して、上記画像のうち該色領域に含まれる色を呈する画像を鮮鋭化する画質調整を行う、ことが好ましい。
【０１２５】
上記の構成によれば、表示装置１は、色再現範囲の変更が行われた場合においても、視聴者にとって自然な鮮鋭化処理を行うことができる。
【０１２６】
本発明の態様７に係る表示装置１は、上記態様１から６のいずれかの態様において、上記画質調整手段は、上記補正手段により補正された色領域を指定して、上記画像のうち該色領域に含まれる色を呈する画像のノイズを除去する画質調整を行う構成としてもよい。
【０１２７】
本発明の態様８に係る表示装置１は、上記態様１から７のいずれかの態様において、上記画質調整手段は、上記補正手段により補正された色領域を指定して、上記画像のうち該色領域に含まれる色を呈する画像の斜め線を補正する画質調整を行う構成としてもよい。
【０１２８】
上記態様１から８のいずれかに係る表示装置１の上記各手段を備えていることを特徴とするテレビジョン受像機も本発明の範疇に含まれる。
【０１２９】
本発明の態様１０に係る表示装置の制御方法は、表示色の色再現範囲を変更する変更工程と、色領域を指定して画像の画質調整を行う画質調整工程と、上記画質調整工程にて指定する色領域を、上記変更工程にて変更された色再現範囲に対応するように補正する補正工程と、を含んでいることを特徴としている。
【０１３０】
上記の構成によれば、上記の表示装置と同様の効果を奏する。
【０１３１】
本発明の各態様に係る表示装置１は、コンピュータによって実現してもよく、この場合には、コンピュータを上記表示装置が備える各手段として動作させることにより上記表示装置をコンピュータにて実現させる表示装置の表示制御プログラム、およびそれを記録したコンピュータ読み取り可能な記録媒体も、本発明の範疇に入る。
【０１３２】
本発明の態様１１に係る液晶パネルモジュールは、表示色の色再現範囲を変更する変更手段（色信号処理部８１）と、色領域を指定して画像の画質調整を行う画質調整手段（画質調整部８３）と、上記画質調整手段が指定する色領域を、上記変更手段により変更された色再現範囲に対応するように補正する補正手段（特定色演算処理部９０）と、を備えていることを特徴とする。
【０１３３】
上記の構成によれば、上記の表示装置１と同様の効果を奏する。
【０１３４】
上記態様１１に係る液晶パネルモジュールを備えていることを特徴とする表示装置、およびそのような表示装置を備えるテレビジョン受像機も本発明の範疇に含まれる。
【０１３５】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１３６】
本発明は、画像を表示する表示装置に好適に利用することができる。
【符号の説明】
【０１３７】
１    表示装置
８      画像処理制御部
８１      色信号処理部（変更手段）
８２      特定色検出部
８３      画質調整部（画質調整手段）
８４        ノイズリダクション処理部（ＮＲ処理部）
８５        輪郭強調処理部
８６        特定色ノイズリダクション処理部（特定色ＮＲ処理部）
８７        特定色輪郭強調処理部
８８      ＡＶモード検出部
８９      ユーザ調整値検出部
９０      特定色演算処理部（補正手段）
１４    指示受付部（指示受付手段）
【図１】
2014178488.tif 000003
【図２】
2014178488.tif 000004
【図３】
2014178488.tif 000005
【図４】
2014178488.tif 000006
【図５】
2014178488.tif 000007
【図６】
2014178488.tif 000008
【図７】
2014178488.tif 000009
【図８】
2014178488.tif 000010
【図９】
2014178488.tif 000011